(57)【要約】【課題】玉網や植木鋏等々のいずれかが設けられる伸縮部における伸縮動作を簡単な操作でもって行うことができる伸縮自在な柄構造を提供する。【解決手段】第１伸縮管４乃至第３伸縮管６で伸縮部が構成される。片端が、最上位の第３伸縮管６の内部の最下部に固定部材３ｄを用いて固定されると共に、他端が、最下位の第１伸縮管４の下位に設けられた握り部３に設けられた巻取り部材３ｂに巻回された可撓性を有するワイヤ３ｃが設けられている。巻取り部材３ｂの軸は、握り部３に内蔵されたモータ３ａに減速機構を介して連結され、モータ３ａを回転させることによって、ワイヤ３ｃを巻き取る方向に回転させる回転動力源が与えられる。モータ３ａには、第１伸縮管４乃至第３伸縮管６を展伸させた状態で巻取り部材３ｂの回転を停止させ得る保持部材が設けられ、この保持部材による巻取り部材３ｂの回転停止状態を解除する解除部材が設けられている。【選択図】　図１
2004073055.tif 000002
【特許請求の範囲】
【請求項１】
複数の筒状部材が同軸状に入れ子状に伸縮可能に嵌合され、先端側の筒状部材に予め定めた取付部材が固定され、他端側に握り部が形成されて成る伸縮自在な柄構造において、
前記握り部近傍の筒状部材内部にモータを内蔵させ、このモータにより引っ張られるワイヤの先端部が前記先端側の筒状部材に固定され、前記モータの回転により前記複数の筒状部材を、先端側から前記握り部側の筒状部材に順次収納して、筒状部材の軸方向長さを調整することを特徴とする伸縮自在な柄構造。
【請求項２】
複数の筒状部材が同軸状に入れ子状に伸縮可能に嵌合され、先端側の筒状部材に予め定めた取付部材が固定され、他端側に握り部が形成されてて成る伸縮自在な柄構造において、
前記握り部近傍の筒状部材内部にモータを内蔵させ、このモータにより巻回される断面コ、Ｕ状または円弧状の薄板状部材の先端部が前記先端側の筒状部材に固定され、前記モータの回転により前記薄板状部材の繰り出し長さを制御して前記入れ子状の複数の筒状部材の出し入れを制御することにより筒状部材の軸方向長さを調整することを特徴とする伸縮自在な柄構造。
【請求項３】
前記薄板状部材は、長尺状の板バネで構成されることを特徴とする請求項２に記載の伸縮自在な柄構造。
【請求項４】
筒状部材でなる複数の伸縮管を脱落規制させた状態で同軸状に嵌合させて長手方向の全体長を伸縮自在に変化させ得るように形成された伸縮部と、前記伸縮部を形成する複数の伸縮管の内の最下位伸縮管に固定的に設けられた握り部とを有し、前記伸縮部を形成する複数の伸縮管の内の最上位伸縮管に取付部材が固定的に設けられる伸縮自在な柄構造において、
片端が前記最上位伸縮管の内部に固定されると共に、他端が前記最下位伸縮管に設けられた巻取リールに巻回された可撓性を有するワイヤと、
前記巻取リールを、当該ワイヤを巻き取る方向に回転させ得るモータと、
前記複数の伸縮管を展伸させた状態で前記巻取リールの回転を停止させ得る保持部材と、
前記保持部材による前記巻取リールの回転停止状態を解除する解除部材とを具備することを特徴とする伸縮自在な柄構造。
【請求項５】
前記薄板状部材は、前記ワイヤを巻き取る方向に回転させる蓄勢力を、長尺状のバネ部材を巻回することによって得るように構成することを特徴とする請求項４に記載の伸縮自在な柄構造。
【請求項６】
筒状部材でなる複数の伸縮管を脱落規制させた状態で同軸状に嵌合させて長手方向の全体長を伸縮自在に変化させ得るように形成された伸縮部と、前記伸縮部を形成する複数の伸縮管の内の最下位伸縮管に固定的に設けられた握り部とを有し、前記伸縮部を形成する複数の伸縮管の内の最上位伸縮管に取付部材が固定的に設けられる伸縮自在な柄構造において、
片端が、前記最上位伸縮管の内部に固定されると共に、他端が、前記最下位伸縮管に設けられた巻取リールに巻回された自己展伸性を有するワイヤと、
前記巻取リールを、当該ワイヤを巻き取る方向と巻き戻す方向に回転させ得る回転動力源と、
前記回転動力源による回転が、正回転／逆回転／停止するように制御する制御部材とを具備することを特徴とする伸縮自在な柄構造。
【請求項７】
前記取付部材は、釣糸で捕獲された魚を掬い上げ、または捕獲魚を水中に一時的に滞留させるための玉網で構成することを特徴とする請求項１乃至６のいずれかに記載の伸縮自在な柄構造。
【請求項８】
前記取付部材は、植栽物の一部を切断するための植木鋏で構成すると共に、前記植木鋏を前記握り部の近傍で遠隔操作するための操作部材を付加して構成することを特徴とする請求項１乃至６のいずれかに記載の伸縮自在な柄構造。
【発明の詳細な説明】
【０００１】
【発明の属する技術分野】
本発明は、伸縮自在な柄構造に関し、特に玉網や植木鋏を先端に固定し、その全長を容易に可変する伸縮自在な柄構造に関する。
【０００２】
【従来の技術】
一般に、魚釣りにおいて釣糸の先端に設けられた釣針によって捕獲された魚を水中から掬い上げたり、捕獲魚の衰弱を遅らせるために水中に一時的に滞留するために用いられる玉網には、長尺状の柄が取り付けられ、柄を手指で握ることによって玉網の位置を自由に移動させることができる。
【０００３】
この場合、玉網が固定される柄の構成は、１本の長尺棒状の部材を用いて固定的に構成すると持ち運びに不便であるために、複数本の棒状部材を長手方向に連結し得るように構成し、持ち運び時には複数本の棒状部材を束ねて運搬し、実際に使用するときには当該の複数本の棒状部材を長手方向に連結して１本の棒状部材として用いている。
【０００４】
従って、実際に使用するときに最適の柄長さが決められている場合、例えば、釣り堀にて行う場合には別段の問題が無いものの、磯釣り等の場合には地形が定まらず柄長さが一義的に決められない場合には、当該の柄の長さが伸縮自在になるような構成が採用されている。
【０００５】
このような玉網が取り付けられる伸縮自在な柄構造の一例を、展伸時を示す図９と縮納時を示す図１０を参照しながら説明する。筒状部材でなる複数の伸縮管（第１伸縮管１２、第２伸縮管１３及び第３伸縮管１４）を脱落規制させた状態で同軸状に嵌合させて長手方向の全体長を伸縮自在に変化させ得るように伸縮部が構成され、この伸縮部を形成する第１伸縮管１２乃至第３伸縮管１４の内の最下位伸縮管（第１伸縮管１２）に握り部１１が固定的に設けられ、また、伸縮部を形成する第１伸縮管１２乃至第３伸縮管１４の内の最上位伸縮管（第３伸縮管１４）に取付部材である網枠１５が取り付けられ、網枠１５に網１６が設けられている。
【０００６】
従って、握り部１１と第３伸縮管１４の相対位置を伸縮させることによって柄長さを所望の値にすることができる。
【０００７】
なお、このような伸縮部の最上位伸縮管（第３伸縮管１４）に設けられる取付部材の態様は、網枠１５の場合のみならず、高所に位置する植木の枝を切断するための植木鋏が取り付けられる場合もある。
【０００８】
【発明が解決しようとする課題】
従来の伸縮自在な柄構造は、柄長さを所望の値に伸縮させることができるものの、取付部材が玉網の場合には、釣糸の釣針によって捕獲された魚を掬い上げる際に、釣り人と魚の離隔距離に拘わらず伸縮部を一度全伸長し、これと同時に釣竿を岩場の間に挟み込んで保持したり、両足で挟み込んで保持し、この状態で両手を使って玉網の伸縮部を収縮させて捕獲魚の取り込みを行うことになる。
【０００９】
従って、釣竿を岩場の間に挟み込んで保持する場合には、高価な釣竿を岩場によって傷付けたり、折損させてしまう虞があり、また、釣竿を両足で挟み込んで保持する場合には、不自然な体形での捕獲魚取り込みを強いることになり、岩場の上に立っている釣人に危険が伴うという問題がある。
【００１０】
取付部材が玉網以外の植木鋏の場合においては、伸縮部による柄長さの伸縮を全くの手作業で行うことになるので、両手を用いないと操作できずその改善が熱望されていた。
【００１１】
そこで、本発明の目的は、玉網や植木鋏等が設けられる伸縮部における伸縮動作を簡単な操作でもって行うことができる伸縮自在な柄構造を提供することにある。
【００１２】
【課題を解決するための手段】
前記課題を解決するために、本発明による伸縮自在な柄構造は、次に記載するような特徴的な構成を採用している。
【００１３】
（１）複数の筒状部材が同軸状に入れ子状に伸縮可能に嵌合され、先端側の筒状部材に予め定めた取付部材が固定され、他端側に握り部が形成されて成る伸縮自在な柄構造において、
前記握り部近傍の筒状部材内部にモータを内蔵させ、このモータにより引っ張られるワイヤの先端部が前記先端側の筒状部材に固定され、前記モータの回転により前記複数の筒状部材を、先端側から前記握り部側の筒状部材に順次収納して、筒状部材の軸方向長さを調整する伸縮自在な柄構造。
【００１４】
（２）複数の筒状部材が同軸状に入れ子状に伸縮可能に嵌合され、先端側の筒状部材に予め定めた取付部材が固定され、他端側に握り部が形成されてて成る伸縮自在な柄構造において、
前記握り部近傍の筒状部材内部にモータを内蔵させ、このモータにより巻回される断面コ、Ｕ状または円弧状の薄板状部材の先端部が前記先端側の筒状部材に固定され、前記モータの回転により前記薄板状部材の繰り出し長さを制御して前記入れ子状の複数の筒状部材の出し入れを制御することにより筒状部材の軸方向長さを調整する伸縮自在な柄構造。
【００１５】
（３）前記薄板状部材は、長尺状の板バネで構成される上記（２）の伸縮自在な柄構造。
【００１６】
（４）筒状部材でなる複数の伸縮管を脱落規制させた状態で同軸状に嵌合させて長手方向の全体長を伸縮自在に変化させ得るように形成された伸縮部と、前記伸縮部を形成する複数の伸縮管の内の最下位伸縮管に固定的に設けられた握り部とを有し、前記伸縮部を形成する複数の伸縮管の内の最上位伸縮管に取付部材が固定的に設けられる伸縮自在な柄構造において、
片端が前記最上位伸縮管の内部に固定されると共に、他端が前記最下位伸縮管に設けられた巻取リールに巻回された可撓性を有するワイヤと、
前記巻取リールを、当該ワイヤを巻き取る方向に回転させ得るモータと、
前記複数の伸縮管を展伸させた状態で前記巻取リールの回転を停止させ得る保持部材と、
前記保持部材による前記巻取リールの回転停止状態を解除する解除部材とを具備する伸縮自在な柄構造。
【００１７】
（５）前記薄板状部材は、前記ワイヤを巻き取る方向に回転させる蓄勢力を、長尺状のバネ部材を巻回することによって得るように構成する上記（４）の伸縮自在な柄構造。
【００１８】
（６）筒状部材でなる複数の伸縮管を脱落規制させた状態で同軸状に嵌合させて長手方向の全体長を伸縮自在に変化させ得るように形成された伸縮部と、前記伸縮部を形成する複数の伸縮管の内の最下位伸縮管に固定的に設けられた握り部とを有し、前記伸縮部を形成する複数の伸縮管の内の最上位伸縮管に取付部材が固定的に設けられる伸縮自在な柄構造において、
片端が、前記最上位伸縮管の内部に固定されると共に、他端が、前記最下位伸縮管に設けられた巻取リールに巻回された自己展伸性を有するワイヤと、
前記巻取リールを、当該ワイヤを巻き取る方向と巻き戻す方向に回転させ得る回転動力源と、
前記回転動力源による回転が、正回転／逆回転／停止するように制御する制御部材とを具備する伸縮自在な柄構造。
【００１９】
（７）前記取付部材は、釣糸で捕獲された魚を掬い上げ、または捕獲魚を水中に一時的に滞留させるための玉網で構成する上記（１）乃至（６）のいずれかの伸縮自在な柄構造。
【００２０】
（８）前記取付部材は、植栽物の一部を切断するための植木鋏で構成すると共に、前記植木鋏を前記握り部の近傍で遠隔操作するための操作部材を付加して構成する上記（１）乃至（６）のいずれかの伸縮自在な柄構造。
【００２１】
【発明の実施の形態】
以下、本発明の一実施の形態について図面を用いて詳細に説明する。先ず、第１の実施の形態について図１と図２を参照しながら説明する。なお、本実施形態は、本発明の伸縮自在な柄構造を釣用の玉網が設けられた伸縮部に適用した例である。
【００２２】
本実施形態の伸縮自在な柄構造は、展伸時の図１と縮納時の図２に示すような構成を有する。即ち、筒状部材でなる複数の伸縮管（第１伸縮管４、第２伸縮管５及び第３伸縮管６）を脱落規制させた状態で同軸状に嵌合させて長手方向の全体長を伸縮自在に変化させ得るように伸縮部が構成される。この伸縮部を形成する第１伸縮管４乃至第３伸縮管６の内の最下位伸縮管（第１伸縮管４）に握り部３が固定的に設けられ、また、伸縮部を形成する第１伸縮管４乃至第３伸縮管６の内の最上位伸縮管（第３伸縮管６）に取付部材である網枠１が取り付けられる。網枠１には網２が設けられている。
【００２３】
更に、片端が、最上位の第３伸縮管６の内部の最下部に固定部材３ｄを用いて固定されると共に、他端が、最下位の第１伸縮管４の下位に設けられた握り部３に設けられた巻取り部材３ｂ（巻取りリール）に巻回された可撓性を有するワイヤ３ｃが設けられている。
【００２４】
巻取り部材３ｂの巻き取り中心回転軸は、握り部３に内蔵されたモータ３ａに減速機構（不図示）を介して連結され、モータ３ａを回転させることによって巻取り部材３ｂを、当該ワイヤを巻き取る方向に回転させ得る回転動力源が与えられるように構成されている。
【００２５】
モータ３ａは、第１伸縮管４乃至第３伸縮管６を展伸させた状態で巻取り部材３ｂの回転を停止させ得る保持部材（不図示）が設けられ、この保持部材による巻取り部材３ｂの回転停止状態を解除する解除部材（不図示）とが設けられている。
【００２６】
従って、使用時に第１伸縮管４乃至第３伸縮管６を展伸状態にすると、巻取り部材３ｂに巻回されたワイヤ３ｃが引き出された状態にされる。
【００２７】
展伸状態にされている伸縮自在な柄構造を縮納状態にするには、モータ３ａを回転させると巻取り部材３ｂが回転され、ワイヤ３ｃが巻き取られ、これに伴って握り部３と網枠１の間の離隔長さ、即ち柄長さを短縮させることができ、この操作は図示しないモータ回転スイッチを押操作することのみによって行わせることができ、従来のような両手操作が必要ないので使い勝手を良好にすることができる。
【００２８】
なお、本実施形態は、ワイヤ３ｃを巻き取る方向に回転させる動力を、モータの回転力によって行っているが、長尺状のバネ部材を巻回させて蓄勢力を保持しておき、蓄勢力の保持を解除することによってワイヤ３ｃを巻き取る方向に回転させるように構成してもよい。また、第１伸縮管４が握り部３に対し、伸縮できるように構成されているが、握り部３と第１伸縮管４が固定されるように構成しても良い。
【００２９】
次に本発明の第２の実施の形態を図３乃至図８を用いて説明する。本実施形態は、伸縮自在な柄構造を釣用の玉網が設けられた伸縮部に本発明の伸縮自在な柄構造を適用した例である。
【００３０】
玉網（不図示）が取り付けられる伸縮自在な柄構造は、図３と図４に示すような筒状部材でなる複数の伸縮管（第１伸縮管８と第２伸縮管９と第３伸縮管１０）を脱落規制させた状態で同軸状に嵌合させて長手方向の全体長を伸縮自在に変化させ得るように伸縮部が構成され、この伸縮部を形成する第１伸縮管８乃至第３伸縮管１０の内の最下位伸縮管（第１伸縮管８）に固定的に設けられた握り部７を有し、また、伸縮部を形成する第１伸縮管８乃至第３伸縮管１０の内の最上位伸縮管（第３伸縮管１０）に取付部材である玉網が設けられる。
【００３１】
第１伸縮管８乃至第３伸縮管１０で構成される伸縮部の片端に位置する最上位伸縮管（第３伸縮管１０）の内部には、剛性の高い材質で形成された断面がコ、Ｕ状または円弧状の薄板状部材（ワイヤ）７ｃの片端（始端）が固定部材７ｆを用いて固定される（図５参照）。この薄板状ワイヤ７ｃは自己展伸性を有すると良い。薄板状ワイヤ７ｃの中間部は、第２伸縮管９の下端部に設けられた支持部材７ｅによって支持され（図６参照）、次に第１伸縮管８の下端部に設けられた支持部材７ｄによって支持され、当該の薄板状ワイヤ７ｃの他端側は、図７と図８に拡大して示すように巻取り部材７ｂに巻回されその終端が巻取り部材７ｂの中心部に固定されている。巻取り部材７ｂは図示しない減速機構を介してモータ７ａに連結されている。
【００３２】
よって、モータ７ａを一側の方向に回転させて巻取り部材７ｂを薄板ワイヤ７ｃが巻き取られる方向に回転されると、握り部７と第３伸縮管１０の距離が狭められて伸縮部の全長が短縮され、一方、モータ７ａを他側の方向に回転させて薄板ワイヤ７ｃが繰り出される方向に回転されると握り部７と第３伸縮管１０の距離が広げられ伸縮部の全長が伸ばされる。
【００３３】
なお、巻取り部材７ｂの回転軸は、モータ７ａの出力軸の回転に減速機構（不図示）を介した動力が供給されているが、握り部７に対して外部から第３伸縮管１０を押し込む力や引き出す力が与えられたときに全長を変化させないための逆駆動防止機構（例えば、ウォームホイールギア機構）が介在されている。
【００３４】
したがって、モータ７ａによる回転を、正回転／逆回転／停止するように制御することによって握り部７と第３伸縮管１０の間の離隔距離、即ち柄長さを伸ばしたり縮めたりすることができ所望の位置でモータ７ａを停止制御することによって柄長さを所望位置にすることができる。また、薄板ワイヤ７ｃは、断面がコ、Ｕ状または円弧状で、自己展伸性を有しているので、捩じれ方向の位置規制機能を自己所有するだけでなく折れ曲がり方向の力に対する抗力を有しているので、玉網に捩じれが生じないだけでなく、伸縮管の直線的伸縮が可能と成る。
【００３５】
上述の２つの実施形態は、玉網の柄に本発明の伸縮自在な柄構造を適用したものであるが、植栽物の一部を切断するための植木鋏で構成すると共に、植木鋏を前記握り部の近傍で遠隔操作するための操作部材を付加して構成する場合にも同様に適用することができ、玉網や植木鋏の場合のみならず、柄長さを伸縮することを要求される高所もしくは遠隔位置における操作部材の全てに対して本発明の伸縮自在な柄構造を適用することができることは勿論である。
【００３６】
【発明の効果】
以上の説明で明らかなように、本発明による伸縮自在な柄構造は、柄長さの縮納や伸縮をモータや板ばねの蓄勢力を回転動力源として簡単な操作で持って行うことができるので、玉網の場合には、高価な釣竿を岩場によって傷付けたり、折損させてしまう虞が無くなり、また、釣竿を両足で挟み込んで保持する必要が無いので、不自然な体形での捕獲魚取り込みを強いることなく、岩場の上に立っている釣人が安全に操作することができる。取付部材が玉網以外の植木鋏の場合においては、伸縮部による柄長さの伸縮を簡単な操作で行うことができる。
【００３７】
従って、本発明によれば、玉網や植木鋏等々のいずれかが設けられる伸縮部における伸縮動作を簡単な操作で行うことができる伸縮自在な柄構造を提供することができる。
【図面の簡単な説明】
【図１】本発明の第１の実施の形態による玉網の展伸時の状態を示す正面図である。
【図２】本発明の第１の実施の形態による玉網の縮納時の状態を示す正面図である。
【図３】本発明の第２の実施の形態による玉網の展伸時の状態を示す正面図である。
【図４】図３に示す玉網の側面図である。
【図５】図３及び図４中に示される固定部材と支持部材の構造を説明するための拡大断面図である。
【図６】図３及び図４中に示される薄板状ワイヤと支持部材の関係を説明するための拡大断面図である。
【図７】図３及び図４中に示される薄板状ワイヤと巻取り部材の構造を説明するための拡大図である。
【図８】図３及び図４中に示される薄板状ワイヤと巻取り部材の構造を説明するための拡大図である。
【図９】従来の伸縮自在な柄構造を用いた玉網の展伸時の状態を示す正面図である。
【図１０】図９に示す玉網の縮納時の状態を示す正面図である。
【符号の説明】
１　網枠
２　網
３　握り部
３ａ　　モータ
３ｂ　　巻取り部材
３ｃ　　ワイヤ
３ｄ，７ｆ　固定部材
４，８　　第１伸縮管
５，９　　第２伸縮管
６，１０　第３伸縮管
７，１１　握り部
７ａ　　モータ
７ｂ　　巻取り部材
７ｃ　　薄板状ワイヤ（部材）
７ｄ，７ｅ　支持部材
【図１】
2004073055.tif 000003
【図２】
2004073055.tif 000004
【図３】
2004073055.tif 000005
【図４】
2004073055.tif 000006
【図５】
2004073055.tif 000007
【図６】
2004073055.tif 000008
【図７】
2004073055.tif 000009
【図８】
2004073055.tif 000010
【図９】
2004073055.tif 000011
【図１０】
2004073055.tif 000012